(57)【特許請求の範囲】
【請求項１】
対象作業面に溜まった水を吸引して排水するための排水具であって、
上下方向に延び、下端部に吸水口を有する吸水管と、
前記吸水管から分岐し、その先端部に設けられた排水口が前記吸水口よりも下方に位置する長さを有する排水管と、
前記吸水管の上端部の開口に連通する内部空間を有し、手動により前記内部空間の体積を可変とするための体積可変手段と、
前記吸水管と前記排水管の間に設けられる逆止弁と、
前記対象作業面上に載置され、前記吸水管の前記吸水口が、前記対象作業面から上方に離れて位置するように、前記吸水管を自立させて保持する基台とを備え、
前記基台は、水平方向に延在し前記吸水管を挿通して保持する貫通孔を有するプレートと、前記プレートの外周縁に設けられ、前記プレートを下方から支持する脚部と、前記プレートの上方に設けられ、前記吸水管を外方から覆うグリップ部とを含み、
前記吸水口は、前記プレートより下方位置で、かつ、前記対象作業面より上方位置に設けられる、排水具。
【請求項２】
前記吸水口からの異物の侵入を防ぐために、前記吸水口を覆うように設けられる異物侵入防止材を有する、請求項１に記載の排水具。
【請求項３】
前記異物侵入防止材は、前記脚部の下端に連結され、前記プレートと略平行に配置される網状部材である、請求項２に記載の排水具。
【請求項４】
前記プレートに連結され、前記吸水管の外周面に当接する吸水管保持部をさらに備える、請求項１〜３のいずれかに記載の排水具。
【請求項５】
前記グリップ部は、前記吸水管保持部を外方から覆い、前記吸水管に沿って上下方向に延びている、請求項４に記載の排水具。
【請求項６】
前記基台は、複数の前記吸水管を保持可能であり、
前記貫通孔および前記吸水管保持部は、複数設けられる、請求項４または５に記載の排水具。
【発明の詳細な説明】
【技術分野】
【０００１】
この発明は、排水具に関し、対象作業面に溜まった水を吸引して排水するための排水具に関する。
【背景技術】
【０００２】
建設現場において、建物の躯体工事のスラブ段差に形成される凹部やドレンが機能していないバルコニーのような凹部に、雨水が溜まる場合がある。このような場合、凹部に溜まった雨水を吸引して排水するために、様々な方法が用いられている。
【０００３】
たとえば、凹部に溜まった雨水を吸引して排水するために、電動のバキュームポンプが使用されている。このバキュームポンプは、電源コンセントにプラグを挿して、ポンプ本体部に呼び水を注入した後、自動的に水を吸引し排水することができる。
【０００４】
一方、水を移動させる原理として、サイフォンの原理が知られている。サイフォンの原理を利用した装置として、たとえば、特開２０１０−９０６９６号公報（特許文献１）が知られている。特許文献１には、軟弱地盤の改良を行うための吸引力発生装置であり、第１の管の下端部と第２の管の下端部との水位差により、サイフォンの原理に従う吸引力を持続的に発生させることが開示されている。
【先行技術文献】
【特許文献】
【０００５】
【特許文献１】特開２０１０−９０６９６号公報
【発明の概要】
【発明が解決しようとする課題】
【０００６】
電動のバキュームポンプは、ポンプ本体部が大きく重いため、水が溜まった場所までバキュームポンプを運搬するのは困難であった。さらに、バキュームポンプは、電動であるため、建設現場で電源コンセントを探すのは手間であるとともに、騒音の問題や漏電の危険性がある。
【０００７】
また、引用文献１の吸引力発生装置は、地盤内に設けられる大がかりな装置であるため、建設現場などの対象作業面に溜まった水を排水するために用いられるものではない。
【０００８】
本発明は、上記のような課題を解決するためになされたものであって、その目的は手軽に対象作業面に溜まった水を外部に排水することができる排水具を提供することを目的とする。
【課題を解決するための手段】
【０００９】
本発明のある局面による排水具は、対象作業面に溜まった水を吸引して排水するための排水具であって、上下方向に延び、下端部に吸水口を有する吸水管と、吸水管から分岐し、その先端部に設けられた排水口が吸水口よりも下方に位置する長さを有する排水管と、吸水管の上端部の開口に連通する内部空間を有し、手動により内部空間の体積を可変とするための体積可変手段と、対象作業面上に載置され、吸水管の吸水口が、対象作業面から上方に離れて位置するように、吸水管を自立させて保持する基台とを備える。
【００１０】
好ましくは、基台は、水平方向に延在し吸水管を挿通して保持する貫通孔を有するプレートと、プレートを下方から支持する脚部とを備える。
【００１１】
好ましくは、吸水口からの異物の侵入を防ぐために、吸水口を覆うように設けられる異物侵入防止材を有する。
【００１２】
好ましくは、プレートに連結され、吸水管の外周面に当接する吸水管保持部をさらに備える。
【００１３】
好ましくは、異物侵入防止材は、脚部の下端に連結され、プレートと略平行に配置される網状部材である。
【００１４】
好ましくは、基台は、複数の吸水管を保持可能であり、貫通孔および吸水管保持部は、複数設けられる。
【発明の効果】
【００１５】
本発明によれば、簡易な構造で、手軽に対象作業面に溜まった水を外部に排水することができる排水具を提供することができる。
【図面の簡単な説明】
【００１６】
【図１】本発明の実施の形態に係る排水具を対象作業面に載置した一例を示す模式図である。
【図２】本発明の実施の形態に係る排水具を示す斜視図である。
【図３】本発明の実施の形態に係る排水具の断面図である。
【図４】本発明の実施の形態に係る排水具の使用状態を説明する模式図である。
【図５】本発明の実施の形態に係る排水具の底面図である。
【発明を実施するための形態】
【００１７】
本発明の実施の形態について図面を参照しながら詳細に説明する。なお、図中同一または相当部分には同一符号を付してその説明は繰り返さない。
【００１８】
図１〜５を参照しながら、本実施の形態に係る排水具１について説明する。図２において、矢印Ａ１で示す方向は上下方向である。
【００１９】
図１を参照して、本実施の形態に係る排水具１は、建設現場の建物に形成される凹部の底面などの対象作業面１００に溜まった雨水を吸引して排水する機能を有する。具体的には、排水具１は、サイフォンの原理を利用して、対象作業面１００に溜まった雨水を排水する。
【００２０】
図１〜３を参照して、排水具１は、上下方向に延び、下端部に吸水口２１を有する吸水管２と、吸水管２から分岐し、その先端部に設けられた排水口３１が吸水口２１よりも下方に位置する長さを有する排水管３と、吸水管２の上端部の開口２２に連通する内部空間４１を有し、手動により内部空間４１の体積を可変とするための体積可変手段４と、対象作業面１００上に載置され、吸水管２の吸水口２１が、対象作業面１００から上方に離れて位置するように、吸水管２を自立させて保持する基台５とを備える。なお、上下方向に延びるとは、単に鉛直方向に延びている状態だけではなく、吸水管２の一方端の高さ位置と他方端の高さ位置に差があることをいう。たとえば、上下方向に延びている状態は、斜め方向に傾斜している状態や、屈曲した状態も含まれる。
【００２１】
吸水管２は、たとえば、円筒形状である。吸水管２の上端部付近に、排水管３の接続部が設けられる。
【００２２】
排水管３は、たとえば、円筒形状である。排水管３は、複数の管状部材（たとえば、ホースなど）が接続されることによって、構成されてもよい。なお、吸水管２と排水管３との接続部には、図示しない逆止弁が設けられていてもよい。
【００２３】
体積可変手段４は、たとえば、中空の略球形状であり、復元力を有する合成樹脂などの弾性材料で形成されている。
【００２４】
基台５は、プレート５２と、吸水管保持部５４と、脚部５３とを備える。基台５は、たとえば、アルミニウムまたは合成樹脂によりに形成される。これにより、基台５は、軽量であり、雨水の溜まっている対象作業面１００に配置させても、雨水により錆びにくい。
【００２５】
プレート５２は、水平方向に延在する、平面視略矩形形状の薄板である。プレート５２は、たとえば、平面視正方形形状であり、各辺の長さＷは、たとえば、１２０ｍｍであり、１００ｍｍ以上１５０ｍｍ以下であることが望ましい。プレート５２が平面視正方形以外の場合、たとえば、平面視長方形形状または円形形状の場合は、面積が１００ｃｍ２以上２５０ｃｍ２以下であることが望ましい。プレート５２の略中央部には、貫通孔５１が設けられている。貫通孔５１の外周縁には、その外周縁から上方に突出する円筒形状の吸水管保持部５４が設けられている。吸水管２は、鉛直方向に延びる吸水管保持部５４に嵌め込まれ，吸水管保持部５４の内周面は、吸水管２の外周面と当接する。これにより、吸水管２は、垂直に自立し、吸水口２１は、プレート５２に対して平行に（すなわち、水平に）配置される。
【００２６】
脚部５３は、プレート５２と一体的に形成され、プレート５２の外周縁から略垂直に下方に折り返されている。吸水口２１は、プレート５２の裏面より下方位置で、かつ、脚部５３の下端より上方位置で固定される。脚部５３の下端と吸水口２１との間隔Ｅは、たとえば、１ｍｍ以上５ｍｍ以下であることが望ましい。排水具１を対象作業面１００に配置した場合、吸水管２の吸水口２１は、対象作業面１００に当接せず、対象作業面１００近傍の位置で固定される。これにより、排水具１は、対象作業面１００に溜まった水をほとんど残らず効率よく排水することができる。なお、脚部５３の高さＬ１は、たとえば、５ｍｍ以上２０ｍｍ以下であることが望ましい。
【００２７】
図３，５に示すように、脚部５３の下端には、プレート５２と略平行に配置される異物侵入防止材５５が設けられる。異物侵入防止材５５は、４つの脚部５３の下端に連結され、プレート５２と略平行に配置される網状部材である。異物侵入防止材５５は、吸水口２１を外方から覆うように設けられる。これにより、吸水口２１からの異物の侵入を防止することができる。なお、異物侵入防止材５５は、吸水口２１に接していてもよい。
【００２８】
吸水管保持部５４には、吸水管保持部５４を外方から覆うグリップ部６が設けられる。グリップ部６は、弾性部材、たとえば、ゴム部材で形成されている。これにより、吸水管保持部５４の上方端が切りっぱなしの鋭利な形状である場合でも、運搬の際に怪我することがない。さらに、グリップ部６を設けることで、排水具１を持ち運ぶ際に滑りにくくなり、容易に排水具１を運搬することができる。なお、グリップ部６は、内側部材６１と、内側部材６１を外方から覆い、内側部材６１よりも高さが低い外側部材６２とで形成されていてもよい。
【００２９】
排水具１の高さＬ２は、５００ｍｍ以下であることが望ましい。排水具１の高さを低くすることにより、運搬が容易となる。また、吸水管２の高さＬ３を短くすることができ（たとえば、３００ｍｍ以下）、バランスがよくなるため、吸水管２を安定して垂直に自立させることができる。これにより、風が吹いたとしても、排水具１の姿勢を安定させることができる。
【００３０】
図１，４を参照して、排水具１の使用方法について説明する。
【００３１】
排水具１を使用する場合、図１に示されるように、雨水の溜まっている対象作業面１００に脚部５３が接するように排水具１を載置する。排水管３の排水口３１が吸水管２の吸水口２１よりも下方に位置するように、排水口３１をたとえば屋外に位置させる。体積可変手段４を外方から手で押圧することにより、図４の想像線で示されるように、内部空間４１の体積を小さくすることができる。体積可変手段４への押圧を解除すると、図４の実線で示されるように、体積可変手段４の復元力により内部空間４１の体積が元に戻るとともに、内部空間４１内で負圧が発生する。これにより、対象作業面１００の雨水は、吸水管２を通って体積可変手段４まで吸い上げられ、吸い上げられた雨水が重力により排水管３を通って排水口３１に向かって流れていく。このように、体積可変手段４を押圧して内部空間４１の体積を小さくするだけで、吸引力を発生させ、図４に示すように、対象作業面１００の雨水が少しずつ排水される。
【００３２】
従来、対象作業面１００に溜まった雨水を排水するために使用していた電動のバキュームポンプは、設置する際に電源コンセントが必要であるとともに、初期動作で呼び水が必要であった。さらに、電動のバキュームポンプは、電動であるために、騒音の問題や漏電の危険性が生じていた。これに対し、本実施の形態に係る排水具１は、体積可変手段４の内部空間４１の体積を可変させることにより、吸引力を発生させて雨水を上方に引き上げることができるため、電源コンセントが不要であるとともに呼び水も不要である。このように、本実施の形態に係る排水具１は、電力が不要であるため、環境負荷が低くエコである上に、騒音の問題や漏電の危険性がない。
【００３３】
本実施の形態に係る排水具１は、簡易な構造であるため、故障しにくく、製造コストを抑制することができる。さらに、排水具１は軽量であるため、通路が狭い建設現場であっても、容易に持ち運びすることができる。このように、本実施の形態に係る排水具１によって、手軽に対象作業面１００に溜まった水を外部に排水することができる。
【００３４】
なお、上記実施の形態において、基台５は１本の吸水管２を保持するとして説明した。しかし、基台５は、複数の吸水管２を保持するものであってもよく、この場合、基台５には、貫通孔５１および吸水管保持部５４が複数設けられてもよい。たとえば、１つのプレート５２に２つの貫通孔５１および２つの吸水管保持部５４を設け、その貫通孔５１に２つの吸水管２を保持させてもよい。これにより、１つの基台５に２本の吸水管２を保持させることができる。
【００３５】
また、体積可変手段４は、上記実施の形態に限定されない。体積可変手段４は、内部空間４１の体積を可変させるような形状であればよく、たとえば、蛇腹式であってもよい。また、体積可変手段４は、ピストンの操作により、シリンダ内の体積を可変とするものでもよい。
【００３６】
また、上記実施の形態において、脚部５３は、プレート５２と一体的に形成され、プレート５２の外周縁から略垂直に下方に折り返されるとした。しかし、図５の破線で示されるように、脚部５３Ａは、プレート５２の角部に４本取り付けられる、プレート５２とは別体の部材であってもよい。
【００３７】
また、脚部５３の高さを、上記実施の形態の脚部の高さＬ２よりも高く形成し、吸水管保持部５４をプレート５２から下方に突出するように設けてもよい。このような構成により、脚部５３を高くしても、排水具１を安定的に自立させることができる。
【００３８】
また、上記実施の形態において、異物侵入防止材５５は、脚部５３下端に連結され、プレート５２と略平行に配置されるとしたが、限定的ではない。異物侵入防止材５５は、吸水口２１からの異物の侵入を防ぐことができればよく、異物侵入防止材５５は、吸水口２１だけを覆うように設けられていてもよい。
【００３９】
また、上記実施の形態に係る排水具１は、建設現場以外で用いることができる。排水具１は、水を排水させるために用いられるものであればよく、たとえば、水槽内の水の入れ替え作業や、風呂に溜めた水の排水のために用いられてもよく、使用場所に限定されない。
【００４０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４１】
１  排水具、２  吸水管、３  排水管、４  体積可変手段、５  基台、６  グリップ部、２１  吸水口、２２  開口、３１  排水口、４１  内部空間、５１  貫通孔、５２  プレート、５３  脚部、５４  吸水管保持部、５５  異物侵入防止材、６１  内側部材、６２  内側部材、１００  対象作業面。
【図１】
0006798799.tif 000002
【図２】
0006798799.tif 000003
【図３】
0006798799.tif 000004
【図４】
0006798799.tif 000005
【図５】
0006798799.tif 000006